(57)【要約】【課題】携帯端末装置の位置に応じて自動的な機能の切替を実現できる情報処理装置、通信システム、及び通信プログラムを提供する。【解決手段】通信システム１００は、スマートフォン１０１、１０２と、無線ＬＡＮルータ１１０と、を備えている。無線ＬＡＮルータ１１０は、制御部１１２と、記憶部１１３と、ＲＡＭ１１４と、操作部１１５と、表示部１１６と、通信部１１７と、電源部１２０と、を備えている。制御部１１２は、計時部１１９を参照し、所定時間内に、範囲内信号が通信部１１７で受信されるかどうか判定する。所定時間内に、範囲内信号が通信部１１７で受信されたと判定したとき、即ちスマートフォン１０１が通信範囲Ａ内に位置することを通信部１１７により認識したとき、制御部１１２は、動作モードを制限モードから通常モードに切り替える。【選択図】図１
2014060627.tif 000002
【特許請求の範囲】
【請求項１】
携帯端末装置と無線通信する無線通信部と、
複数の機能を持ち、各機能を実行する制御部と、を備え、
前記制御部は、予め設定された範囲内に前記携帯端末装置が位置することを前記無線通信部により認識したとき、前記複数の機能の内の特定の機能を制限する制限モードと、前記特定の機能の制限を解除する通常モードとを切り替えることを特徴とする情報処理装置。
【請求項２】
前記携帯端末装置が前記範囲内に位置することを示す範囲内信号を前記無線通信部が前記携帯端末装置から受信したとき、前記制御部は、前記制限モードと前記通常モードとを切り替えることを特徴とする請求項１に記載の情報処理装置。
【請求項３】
前記携帯端末装置が前記範囲内に位置しないことを示す範囲外信号を前記無線通信部が前記携帯端末装置から受信したとき、前記制御部は、前記制限モードと前記通常モードとを切り替えることを特徴とする請求項１又は２に記載の情報処理装置。
【請求項４】
前記制限モードは、前記各機能が消費する消費電力を制限するモードであり、
前記通常モードは、前記消費電力の制限を解除するモードであることを特徴とする請求項１から３のいずれか１項に記載の情報処理装置。
【請求項５】
前記制限モードは、前記無線通信部による無線通信の通信内容を制限するモードであり、
前記通常モードは、前記通信内容の制限を解除するモードであることを特徴とする請求項１から３のいずれか１項に記載の情報処理装置。
【請求項６】
請求項１〜５のいずれか１項に記載の情報処理装置と、
自身が前記範囲内に位置するかどうか判定する判定部を有する携帯端末装置と、を備え、
前記携帯端末装置は、前記判定部の判定結果に基づいて、前記携帯端末装置自身が前記範囲内に位置することを示す範囲内信号、又は前記携帯端末装置自身が前記範囲内に位置しないことを示す範囲外信号のいずれかを前記無線通信部に送信する送信部と、を有することを特徴とする通信システム。
【請求項７】
前記送信部は、前記範囲内信号を正常に受信したことを示す応答が前記情報処理装置からあった時、前記範囲内信号の送信を停止し、前記範囲外信号を正常に受信したことを示す応答が前記情報処理装置からあった時、前記範囲外信号の送信を停止することを特徴とする請求項６に記載の通信システム。
【請求項８】
前記携帯端末装置は、現在時刻を計時する計時部と、前記計時部によって計時されている時刻が予め設定された時間帯に含まれるとき、前記送信部による前記範囲内信号または前記範囲外信号の送信を禁止する禁止部と、を有することを特徴とする請求項６又は７に記載の通信システム。
【請求項９】
前記携帯端末装置は、前記送信部による前記範囲内信号または前記範囲外信号の送信を許可するか禁止するかの選択を受け付ける操作部を有することを特徴とする請求項６から８のいずれか１項に記載の通信システム。
【請求項１０】
前記携帯端末装置を複数備え、
前記制御部は、前記無線通信部における前記範囲内信号の受信回数と前記範囲外信号の受信回数とに基づいて、前記制限モードと前記通常モードとを切り替えることを特徴とする請求項６から９のいずれか１項に記載の通信システム。
【請求項１１】
前記情報処理装置は、制限する機能の内容を示す制限情報と、前記複数の携帯端末装置のそれぞれが前記範囲内に位置するか否かを示す位置条件とが対応付けて記述された制限テーブルをさらに備え、
前記制御部は、前記複数の携帯端末装置のそれぞれが前記範囲内に位置するか否かを前記範囲内信号または前記範囲外信号より認識し、前記位置条件に対応する前記制限情報に従った前記制限モードで動作することを特徴とする請求項１０に記載の通信システム。
【請求項１２】
情報処理装置に実行させる通信プログラムであって、
携帯端末装置と無線通信する通信ステップと、
前記情報処理装置に備えられる複数の機能を実行する実行ステップと、
予め設定された範囲内に前記携帯端末装置が位置することを認識したとき、前記複数の機能の内の特定の機能を制限する制限モードと、前記特定の機能の制限を解除する通常モードとを切り替える切替ステップと、を含むことを特徴とする通信プログラム。
【発明の詳細な説明】
【技術分野】
【０００１】
この発明は、携帯端末装置と無線通信する情報処理装置、当該情報処理装置を備える通信システム、及び当該情報処理装置に実装される通信プログラムに関する。
【背景技術】
【０００２】
特許文献１には、携帯端末装置と無線通信するアクセスポイント（情報処理装置）を備える通信システムが開示されている。この通信システムは、携帯端末装置と、無線ＬＡＮ（Ｌｏｃａｌ  Ａｒｅａ  Ｎｅｔｗｏｒｋ）用のアクセスポイントと、ホームゲートウェイと、からなる。アクセスポイントとホームゲートウェイとは屋内に設置されており、携帯端末装置はユーザに所持されている。そして、アクセスポイントは、ホームゲートウェイを介してインターネットに接続されている。
【０００３】
携帯端末装置は、無線ＬＡＮ通信部とセルラ通信部とを有する。携帯端末装置は、屋内ではアクセスポイントと無線ＬＡＮ通信部により無線通信し、屋外では基地局とセルラ通信部により無線通信する。これにより、携帯端末装置は、インターネットに接続されたアクセスポイント及びホームゲートウェイを介して、又は、携帯電話網に接続された基地局を介して、相手方通信装置と通信する。
【０００４】
また、携帯端末装置は、ＧＰＳ（Ｇｌｏｂａｌ  Ｐｏｓｉｔｉｏｎｉｎｇ  Ｓｙｓｔｅｍ)衛星からのＧＰＳ電波を受信する。
【０００５】
特許文献１の通信システムでは、ＧＰＳ電波を受信できないとき、携帯端末装置は、屋内に位置すると推定し、無線ＬＡＮ通信部を電源オンしてアクセスポイントを定期的にセンシングする。逆に、ＧＰＳ電波を受信できるとき、携帯端末装置は、屋外に位置すると推定し、無線ＬＡＮ通信部の電源をオフする。
【０００６】
このため、携帯端末装置が屋外に位置するとき、携帯端末装置の無線ＬＡＮ通信部はアクセスポイントをセンシングしない。これにより、特許文献１の通信システムでは、アクセスポイントの定期的なセンシングに基づく携帯端末装置の消費電力を低減している。
【先行技術文献】
【特許文献】
【０００７】
【特許文献１】特開２００９−９４８２７号公報
【発明の概要】
【発明が解決しようとする課題】
【０００８】
しかしながら、特許文献１の通信システムは、屋内に設置されたアクセスポイント（情報処理装置）の機能が切り替わるものではなかった。
【０００９】
そこで、この発明は、携帯端末装置の位置に応じて自動的な機能の切替を実現できる情報処理装置、通信システム、及び通信プログラムを提供することを目的とする。
【課題を解決するための手段】
【００１０】
本発明の情報処理装置は、前記課題を解決するために以下の構成を備えている。
【００１１】
（１）携帯端末装置と無線通信する無線通信部と、
複数の機能を持ち、各機能を実行する制御部と、を備え、
前記制御部は、予め設定された範囲内に前記携帯端末装置が位置することを前記無線通信部により認識したとき、前記複数の機能の内の特定の機能を制限する制限モードと、前記特定の機能の制限を解除する通常モードとを切り替えることを特徴とする。
【００１２】
この構成において、携帯端末装置は、例えばスマートフォンである。情報処理装置は、例えばアクセスポイント又はスマートフォンである。特定の機能は、例えば通信機能、画像表示機能、音声出力機能、又は印刷機能である。そして、特定の機能の制限とは、例えば特定の機能を達成する情報処理装置の各部の電源オフ、当該各部への供給電力の低減である。
【００１３】
この構成では、制御部は、携帯端末装置が前記範囲内に位置することを認識できないとき、すなわち携帯端末装置が前記範囲内に位置しないとき、制限モード又は通常モードのいずれかで動作する。そして、制御部は、携帯端末装置が前記範囲内に位置することを認識したとき、制限モードから通常モードへ、又は通常モードから制限モードへ切り替える。
【００１４】
そのため、携帯端末装置が前記範囲内に位置しないとき、情報処理装置の特定の機能は制限される。又は、携帯端末装置が前記範囲内に位置するとき、情報処理装置の特定の機能は制限される。
【００１５】
例えば、携帯端末装置が前記範囲内に位置することを認識できないとき、その携帯端末装置を所持するユーザがアクセスポイントの近くに存在しないと推定し、アクセスポイントの制御部は通常モードから省電力モード（制限モード）に切り替える。
【００１６】
したがって、この構成の情報処理装置は、携帯端末装置の位置に応じて自動的な機能の切替を実現できる。
【００１７】
（２）前記携帯端末装置が前記範囲内に位置することを示す範囲内信号を前記無線通信部が前記携帯端末装置から受信したとき、前記制御部は、前記制限モードと前記通常モードとを切り替えることが好ましい。
【００１８】
この構成では携帯端末装置が、前記範囲内に位置するとき、範囲内信号を情報処理装置に送信する。そして、その範囲内信号を無線通信部が携帯端末装置から受信したとき、制御部は、携帯端末装置が前記範囲内に位置することを認識する。
【００１９】
（３）前記携帯端末装置が前記範囲内に位置しないことを示す範囲外信号を前記無線通信部が前記携帯端末装置から受信したとき、前記制御部は、前記制限モードと前記通常モードとを切り替えることが好ましい。
【００２０】
この構成では携帯端末装置が、前記範囲内に位置しないとき、範囲外信号を情報処理装置に送信する。範囲外信号を無線通信部が携帯端末装置から受信したとき、制御部は、携帯端末装置が前記範囲内に位置しないことを認識する。
【００２１】
（４）前記制限モードは、前記各機能が消費する消費電力を制限するモードであり、
前記通常モードは、前記消費電力の制限を解除するモードであることが好ましい。
【００２２】
（５）前記制限モードは、前記無線通信部による無線通信の通信内容を制限するモードであり、
前記通常モードは、前記通信内容の制限を解除するモードであることが好ましい。
【００２３】
この構成では、例えば、未成年者がスマートフォン（情報処理装置）を所持し、未成年者の保護者がスマートフォン（携帯端末装置）を所持している場合において、保護者が未成年者の近くに存在しない間に未成年者が情報処理装置で有害なコンテンツに勝手にアクセスしないよう、情報処理装置の通信機能が制限される。
【００２４】
また、本発明の通信システムは、前記課題を解決するために以下の構成を備えている。
【００２５】
（６）上記（１）〜（５）のいずれかの情報処理装置と、
自身が前記範囲内に位置するかどうか判定する判定部を有する携帯端末装置と、を備え、
前記携帯端末装置は、前記判定部の判定結果に基づいて、前記携帯端末装置自身が前記範囲内に位置することを示す範囲内信号、又は前記携帯端末装置自身が前記範囲内に位置しないことを示す範囲外信号のいずれかを前記無線通信部に送信する送信部と、を有することを特徴とする。
【００２６】
この構成における通信システムは、上記（１）〜（５）のいずれかの情報処理装置を備えている。そして、情報処理装置の制御部は、携帯端末装置の送信部より送信された範囲内信号または範囲外信号を無線通信部が受信したとき、予め設定された範囲内に携帯端末装置が位置することを範囲内信号または範囲外信号により認識する。
【００２７】
したがって、この構成における通信システムは、上記（１）〜（５）のいずれかの情報処理装置を備えることで、当該情報処理装置と同様の効果を奏する。
【００２８】
（７）前記送信部は、前記範囲内信号を正常に受信したことを示す応答が前記情報処理装置からあった時、前記範囲内信号の送信を停止し、前記範囲外信号を正常に受信したことを示す応答が前記情報処理装置からあった時、前記範囲外信号の送信を停止することが好ましい。
【００２９】
この構成では、携帯端末装置から範囲内信号を受信した時、情報処理装置は、次に範囲外信号を受信するまでの間、通常モードで動作する。一方、携帯端末装置から範囲外信号を受信した時、情報処理装置は、次に範囲内信号を受信するまでの間、制限モードで動作する。
【００３０】
（８）前記携帯端末装置は、現在時刻を計時する計時部と、前記計時部によって計時されている時刻が予め設定された時間帯に含まれるとき、前記送信部による前記範囲内信号または前記範囲外信号の送信を禁止する禁止部と、を有することが好ましい。
【００３１】
この構成では、携帯端末装置を所持するユーザ等が、範囲内信号または範囲外信号を送信する必要性の低い時間帯を予め設定する。これにより、予め設定された時間帯における範囲内信号または範囲外信号の送信が禁止される。
【００３２】
したがって、この構成によれば、予め設定された時間帯における携帯端末装置の動作モードを省電力モード等の制限モードとする事が可能となり、消費電力を低減できる。
【００３３】
（９）前記携帯端末装置は、前記送信部による前記範囲内信号または前記範囲外信号の送信を許可するか禁止するかの選択を受け付ける操作部を有することが好ましい。
【００３４】
この構成では、携帯端末装置を所持するユーザが、範囲内信号または範囲外信号の送信を許可するか禁止するかを操作部で選択できる。
【００３５】
したがって、この構成によれば、当該ユーザの使い勝手に応じて、携帯端末装置の動作モードを省電力モード等の制限モードとする事が可能となり、消費電力を低減できる。
【００３６】
（１０）前記携帯端末装置を複数備え、
前記制御部は、前記無線通信部における前記範囲内信号の受信回数と前記範囲外信号の受信回数とに基づいて、前記制限モードと前記通常モードとを切り替えることが好ましい。
【００３７】
（１１）前記情報処理装置は、制限する機能の内容を示す制限情報と、前記複数の携帯端末装置のそれぞれが前記範囲内に位置するか否かを示す位置条件とが対応付けて記述された制限テーブルをさらに備え、
前記制御部は、前記複数の携帯端末装置のそれぞれが前記範囲内に位置するか否かを前記範囲内信号または前記範囲外信号より認識し、前記位置条件に対応する前記制限情報に従った前記制限モードで動作することが好ましい。
【００３８】
また、本発明の通信プログラムは、前記課題を解決するために以下の構成を備えている。
【００３９】
（１２）情報処理装置に実行させる通信プログラムであって、
携帯端末装置と無線通信する通信ステップと、
前記情報処理装置に備えられる複数の機能を実行する実行ステップと、
予め設定された範囲内に前記携帯端末装置が位置することを認識したとき、前記複数の機能の内の特定の機能を制限する制限モードと、前記特定の機能の制限を解除する通常モードとを切り替える切替ステップと、を含むことを特徴とする。
【００４０】
この構成における通信プログラムは、上記（１）の情報処理装置に実装されるプログラムである。
【００４１】
したがって、上記（１）と同様の効果を奏する。
【発明の効果】
【００４２】
この発明の情報処理装置は、携帯端末装置の位置に応じて自動的な機能の切替を実現できる。
【図面の簡単な説明】
【００４３】
【図１】本発明の第１実施形態である通信システム１００の主要な構成を示すシステム構成図である。
【図２】図１に示す無線ＬＡＮルータ１１０の主要な構成を示すブロック図である。
【図３】図２に示す通信テーブル１３０の記述内容を示す図である。
【図４】図１に示すスマートフォン１０１の主要な構成を示すブロック図である。
【図５】図４に示すアクセステーブル２０の記述内容を示す図である。
【図６】図２、図４に示す無線ＬＡＮルータ１１０とスマートフォン１０１の両制御部２、１１２が行う動作を示すフローチャートである。
【図７】本発明の第１実施形態の変形例における通信テーブル１３５及び制限テーブル１３６の記述内容を示す図である。
【図８】本発明の第２実施形態である通信システム２００の主要な構成を示すシステム構成図である。
【図９】図８に示すスマートフォン２０１の主要な構成を示すブロック図である。
【図１０】図８に示すスマートフォン１０１、２０１の両制御部１１２が行う動作を示すフローチャートである。
【図１１】本発明の他の実施形態である通信システム３００の主要な構成を示すシステム構成図である。
【発明を実施するための形態】
【００４４】
《第１実施形態》
以下、本発明の第１実施形態である通信システムについて説明する。
【００４５】
図１は、本発明の第１実施形態である通信システム１００の主要な構成を示すシステム構成図である。通信システム１００は、スマートフォン１０１、１０２と、ゲーム機１０５と、無線ＬＡＮ（Ｌｏｃａｌ  Ａｒｅａ  Ｎｅｔｗｏｒｋ）ルータ１１０と、を備えている。スマートフォン１０１、ゲーム機１０５及び無線ＬＡＮルータ１１０は建物１４０の中に位置し、スマートフォン１０２は建物１４０の外に位置している。そして、ユーザＵ１はスマートフォン１０１を所持し、ユーザＵ２はスマートフォン１０２を所持している。ユーザＵ１、Ｕ２は、子供Ｋ１の保護者である。
【００４６】
なお、この実施形態では、スマートフォン１０１、１０２のそれぞれが、本発明の「携帯端末装置」に相当する。そして、無線ＬＡＮルータ１１０が、本発明の「情報処理装置」に相当する。
【００４７】
また、この実施形態では、スマートフォン１０１、１０２と無線ＬＡＮルータ１１０を用いているが、これに限るものではない。実施の際は、スマートフォン以外の携帯端末装置、例えばノート型パソコン、タブレット型パソコン、ディジタルオーディオプレーヤなどを用いても良い。同様に、無線ＬＡＮルータ１１０についても、無線ＬＡＮルータ以外の情報処理装置、例えばデスクトップ型パソコンを用いても良い。
【００４８】
無線ＬＡＮルータ１１０は、インターネットに接続されている。無線ＬＡＮルータ１１０は、スマートフォン１０１、１０２のアクセスポイントとなっており、通信範囲Ａ内においてスマートフォン１０１、１０２と無線通信する。
【００４９】
そのため、スマートフォン１０１、１０２のそれぞれは、通信範囲Ａ内（即ち建物１４０の中）に位置するとき、無線ＬＡＮルータ１１０を介して相手方通信装置と通信する。一方、スマートフォン１０１、１０２のそれぞれは、通信範囲Ａ外（即ち建物１４０の外）に位置するとき、基地局９８を介して相手方通信装置と通信する。これにより、ユーザＵ１、Ｕ２は、スマートフォン１０１、１０２を用いて相手方通信装置に対して通信（例えばメールの送信または受信）を行う。
【００５０】
また、スマートフォン１０１、１０２のそれぞれは、ＧＰＳ（Ｇｌｏｂａｌ  Ｐｏｓｉｔｉｏｎｉｎｇ  Ｓｙｓｔｅｍ）衛星９９からＧＰＳ電波を受信し、自身の位置を測位する。
【００５１】
また、ゲーム機１０５は、無線ＬＡＮルータ１１０を介してインターネットに接続する。これにより、ユーザＵ１、Ｕ２や子供Ｋ１は、ゲーム機１０５を用いてオンラインゲームを行う。
【００５２】
次に、無線ＬＡＮルータ１１０の構成について以下説明する。
【００５３】
図２は、図１に示す無線ＬＡＮルータ１１０の主要な構成を示すブロック図である。
【００５４】
無線ＬＡＮルータ１１０は、制御部１１２と、記憶部１１３と、ＲＡＭ１１４と、操作部１１５と、表示部１１６と、通信部１１７と、電源部１２０と、を備えている。
【００５５】
記憶部１１３は、例えばフラッシュメモリで構成されている。記憶部１１３は、無線ＬＡＮルータ１１０の各部の制御方法が記述された制御プログラムを保存する。この制御プログラムには、通信プログラムＰがインストールされている。通信プログラムＰは例えば、通信プログラムＰの製造元のＷｅｂサイトで配布される更新ファイルにより、定期的にアップデートされる。
【００５６】
なお、制御部１１２は、通信部１１７を介してそのＷｅｂサイトへ定期的にアクセスし、新しいバージョンの更新ファイルが配布されているかどうかを確認する。そして、新しいバージョンの更新ファイルが配布されていることを確認した時、制御部１１２は、更新ファイルを通信部１１７を介してダウンロードし、通信プログラムＰをアップデートする。
【００５７】
また、記憶部１１３は、詳細を後述する通信テーブル１３０を保存する。
【００５８】
制御部１１２は、例えばＣＰＵで構成されている。制御部１１２は、前記制御プログラムに従って、無線ＬＡＮルータ１１０の各部の動作を制御する。また、制御部１１２は、前記制御プログラムで処理されるデータをＲＡＭ１１４上に展開する。
【００５９】
操作部１１５は、ユーザからの操作入力を受け付ける。操作部１１５は、入力された命令を示す信号を制御部１１２に伝送する。そして、制御部１１２は、操作部１１５から当該信号を受信すると、その命令に従って無線ＬＡＮルータ１１０の各部の動作を制御する。
【００６０】
表示部１１６は、例えば液晶パネルで構成されている。表示部１１６は、制御部１１２の指示に従って、現在日時などの各種情報を画面上に表示する。
【００６１】
通信部１１７は、インターネットに接続されているＷＡＮポート１１７Ａと、ゲーム機１０５に接続されているＬＡＮポート１１７Ｂとを有する。また、通信部１１７は、不図示のアンテナを有しており、スマートフォン１０１、１０２と通信範囲Ａ内でアンテナを介して無線通信する。また、この実施形態において通信範囲Ａは半径１０ｍである。
【００６２】
なお、通信部１１７は、本発明の「無線通信部」に相当する。また、この通信範囲Ａが、本発明の「予め設定された範囲」に相当する。
【００６３】
計時部１１９は、現在日および現在時刻を計時する。
【００６４】
電源部１２０は、商用のＡＣ電源からＤＣ動作電源を生成し、無線ＬＡＮルータ１１０の各部に対してＤＣ動作電源の供給を行う。
【００６５】
以上より、制御部１１２は、通信部１１７による通信機能、ＲＡＭ１１４による一時記憶機能、計時部１１９による計時機能、及び表示部１１６による画像表示機能を含む複数の機能を持ち、各機能を実行する。
【００６６】
そして、制御部１１２は、複数の機能の内の特定の機能を制限する制限モードと、特定の機能の制限を解除する通常モードとを有し、いずれかのモードで動作する。この実施形態において特定の機能は、通信機能および画像表示機能である。また、特定の機能の制限とは、表示部１１６の電源オフ、通信部１１７への供給電力の低減である。
【００６７】
次に、前記記憶部１１３に保存されている通信テーブル１３０の詳細について説明する。
【００６８】
図３は、図２に示す通信テーブル１３０の記述内容を示す図である。
【００６９】
通信テーブル１３０には、ＥＳＳＩＤ（Ｅｘｔｅｎｄｅｄ  Ｓｅｒｖｉｃｅ  Ｓｅｔ  Ｉｄｅｎｔｉｆｉｅｒ）とスマートフォン１０１、１０２の機器情報が記述されている。機器情報とは、例えばＭＡＣ（Ｍｅｄｉａ  Ａｃｃｅｓｓ  Ｃｏｎｔｒｏｌ  ａｄｄｒｅｓｓ）アドレスやシリアルナンバー、またはスマートフォンをまとめたグループごとにユニークなＩＤなど、機器を識別可能な情報を意味する。この実施形態では、機器情報としてＭＡＣアドレスを用いている。
【００７０】
ユーザＵ１、Ｕ２は、任意の英数字をＥＳＳＩＤとして操作部１１５で入力し、通信テーブル１３０に登録する。この実施形態では、「ＩＤ＿ＨＯＭＥ」がＥＳＳＩＤとして通信テーブル１３０に登録されている。
【００７１】
また、この際、ユーザＵ１、Ｕ２は、スマートフォン１０１、１０２のＭＡＣアドレスも操作部１１５で入力し、通信テーブル１３０に登録する。この実施形態では、スマートフォン１０１のＭＡＣアドレス「００００２７ＡＡ７４Ｅ１」と、スマートフォン１０２のＭＡＣアドレス「００００２７ＡＡ７４Ｅ２」とが通信テーブル１３０に登録されている。
【００７２】
なお、この実施形態では、ＥＳＳＩＤ及びＭＡＣアドレス（機器情報）を同じタイミングで通信テーブル１３０に登録しているが、これに限るものではない。例えば、まずＥＳＳＩＤを使用してスマートフォン１０１（又は１０２）と無線ＬＡＮルータ１１０との無線通信経路を確立し、確立した無線通信経路を使用して後からスマートフォン１０１（又は１０２）のＭＡＣアドレスを通信テーブル１３０に登録するようにしても良い。
【００７３】
また、ＥＳＳＩＤ及びＭＡＣアドレスの通信テーブル１３０への登録が操作部１１５から行われているが、これに限るものではない。例えば各スマートフォン１０１、１０２が、無線ＬＡＮルータ１１０に赤外線で送信することにより、通信テーブル１３０へ登録しても良い。
【００７４】
さらに、例えば、無線ＬＡＮルータ１１０がカメラなどの撮像装置を備え、各スマートフォン１０１、１０２のＥＳＳＩＤ及びＭＡＣアドレスを示す画像データ（例えばＱＲコード（登録商標））を表示操作部６に表示し、無線ＬＡＮルータ１１０の撮像装置によって、その画像データを撮像することにより登録を行っても良い。
【００７５】
次に、スマートフォン１０１、１０２を代表して、スマートフォン１０１の構成について以下説明する。スマートフォン１０２の構成は、スマートフォン１０１の構成と同じであるため、説明を省略する。
【００７６】
図４は、図１に示すスマートフォン１０１の主要な構成を示すブロック図である。スマートフォン１０１は、制御部２と、記憶部３と、ＲＡＭ４と、表示操作部６と、無線ＬＡＮ通信部７Ａと、３Ｇ（３ｒｄ  Ｇｅｎｅｒａｔｉｏｎ）通信部７Ｂと、測位部８と、計時部９と、バッテリ１０と、を備えている。
【００７７】
ここで、制御部２が、本発明の「禁止部」と「判定部」に相当する。また、無線ＬＡＮ通信部７Ａが、本発明の「送信部」に相当する。
【００７８】
記憶部３は、例えばフラッシュメモリで構成されている。記憶部３は、スマートフォン１０１の各部の制御方法が記述された制御プログラムを保存する。また、記憶部３は、詳細を後述するアクセステーブル２０を保存する。
【００７９】
制御部２は、例えばＣＰＵで構成されている。制御部２は、前記制御プログラムに従って、スマートフォン１０１の各部の動作を制御する。また、制御部２は、前記制御プログラムで処理されるデータをＲＡＭ４上に展開する。
【００８０】
表示操作部６は、例えば液晶タッチパネルで構成されている。表示操作部６は、制御部２の指示に従って、前記制御プログラムに格納されている画像データに基づく画像を画面上に表示する。さらに、表示操作部６は、ユーザからの操作入力を当該画面上で受け付ける。表示操作部６は、入力された命令を示す信号を制御部２に伝送する。そして、制御部２は、表示操作部６から当該信号を受信すると、その命令に従ってスマートフォン１０１の各部の動作を制御する。
【００８１】
無線ＬＡＮ通信部７Ａ及び３Ｇ通信部７Ｂは、不図示のアンテナを有している。無線ＬＡＮ通信部７Ａは、後述するＥＳＳＩＤ「ＩＤ＿ＨＯＭＥ」及び前述したＭＡＣアドレス「００００２７ＡＡ７４Ｅ１」に基づいて、無線ＬＡＮルータ１１０と無線通信する。一方、３Ｇ通信部７Ｂは、基地局９８と無線通信する。
【００８２】
これにより、無線ＬＡＮ通信部７Ａは、インターネットに接続された無線ＬＡＮルータ１１０を介して相手方通信装置と通信する。３Ｇ通信部７Ｂは、携帯電話網に接続された基地局９８を介して相手方通信装置と通信する。
【００８３】
測位部８は、不図示のＧＰＳアンテナを有している。測位部８は、図１に示すＧＰＳ衛星９９からのＧＰＳ電波をＧＰＳアンテナで受信する。次に、測位部８は、その受信信号を復調し、復調により得られる測位データをデコードする。そして、測位部８は、デコードしたデータによりスマートフォン１０１の位置を計測する。最後に、測位部８は、計測により得られた位置情報を制御部２に伝送する。
【００８４】
計時部９は、現在日および現在時刻を計時する。
【００８５】
バッテリ１０は、スマートフォン１０１の各部に対してＤＣ動作電源の供給を行う。
【００８６】
次に、前記記憶部３に保存されているアクセステーブル２０の詳細について説明する。
【００８７】
図５は、図４に示すアクセステーブル２０の記述内容を示す図である。
【００８８】
アクセステーブル２０には、アクセスポイントの名称と、そのアクセスポイントの位置を示す位置情報と、そのアクセスポイントの通信範囲と、そのアクセスポイントのＥＳＳＩＤと、が対応付けて記述されている。
【００８９】
ユーザＵ１は、無線ＬＡＮルータ１１０を含む全てのアクセスポイントに関する各種情報を表示操作部６で入力し、アクセステーブル２０に登録する。例えば、ユーザＵ１は、無線ＬＡＮルータ１１０の名称と、無線ＬＡＮルータ１１０の位置を示す位置情報と、無線ＬＡＮルータ１１０の通信範囲と、無線ＬＡＮルータ１１０に設定したＥＳＳＩＤと、を表示操作部６で入力し、アクセステーブル２０に登録する。
【００９０】
この実施形態では、無線ＬＡＮルータ１１０を表す「ＡＰ＿ＨＯＭＥ」と、無線ＬＡＮルータ１１０とは別のアクセスポイントを表す「ＡＰ＿ＯＦＦＩＣＥ」とがアクセステーブル２０に登録されている。さらに、詳細を後述するが、スマートフォン１０１、２０１間においてＥＳＳＩＤ「ＩＤ＿ＳＭＰ」で無線通信を行うため、「ＡＰ＿ＳＭＰ」がアクセステーブル２０に登録されている。
【００９１】
なお、この実施形態では、ユーザＵ１が全てのアクセスポイントに関する各種情報を表示操作部６で入力し、アクセステーブル２０に登録しているが、これに限るものではない。実施の際は、スマートフォン１０１の表示操作部６に登録ボタンを設け、アクセスポイントの設置位置付近でユーザＵ１が登録ボタンを押下することによってアクセステーブル２０に当該アクセスポイントの各種情報を登録しても良い。具体的には、登録ボタンが押下された時点で無線通信が確立されているアクセスポイントの名称、ＥＳＳＩＤ、及び通信範囲がアクセステーブル２０に登録され、登録ボタンが押下された位置が当該アクセスポイントの位置情報としてアクセステーブル２０に登録される。
【００９２】
もしくは、例えば、無線ＬＡＮルータ１１０の各種情報を示す画像データ（例えばＱＲコード（登録商標））を表示部１１６に表示し、スマートフォン１０１に設けられているカメラによってその画像データを撮像することにより、無線ＬＡＮルータ１１０の前記各種情報をアクセステーブル２０に登録しても良い。この場合、無線ＬＡＮルータ１１０の画像データを撮像した位置がアクセスポイントの位置情報としてアクセステーブル２０に登録される。
【００９３】
また、この実施形態では、アクセスポイントの名称とＥＳＳＩＤとが異なっているが、実施の際は、アクセスポイントの名称とＥＳＳＩＤとが同一であっても良い。
【００９４】
また、この実施形態では、アクセスポイントの通信範囲が固定値としてアクセステーブル２０に登録されているが、実施の際は、アクセスポイントの通信範囲が可変値としてアクセステーブル２０に登録されていても良い。
【００９５】
詳述すると例えば、スマートフォン１０１は、無線ＬＡＮルータ１１０と通信を行うためのＥＳＳＩＤを用いて無線ＬＡＮ通信部７Ａにより無線ＬＡＮルータ１１０をセンシングし、無線ＬＡＮルータ１１０を発見した時、すなわち無線ＬＡＮルータ１１０との通信が確立した時のスマートフォン１０１の位置を計測する。スマートフォン１０１は、この時の位置情報と、アクセステーブル２０に登録されている無線ＬＡＮルータ１１０の位置を示す位置情報とを比較し、両者間の距離を半径として無線ＬＡＮルータ１１０の通信範囲をアクセステーブル２０に再登録しても良い。
【００９６】
次に、無線ＬＡＮルータ１１０とスマートフォン１０１の動作について以下説明する。ここで、スマートフォン１０２の動作は、スマートフォン１０１の動作と同じであるため、重複部分については説明を省略する。
【００９７】
図６は、図２、図４に示す無線ＬＡＮルータ１１０とスマートフォン１０１の両制御部２、１１２が行う動作を示すフローチャートである。
【００９８】
まず、スマートフォン１０１の制御部２は、スマートフォン１０１の位置を測位部８によって計測する（Ｓ１）。
【００９９】
次に、スマートフォン１０１の制御部２は、Ｓ１で計測したスマートフォン１０１の位置に基づいて、スマートフォン１０１が、図５に示すアクセステーブル２０に登録されているアクセスポイントの通信範囲内に位置するかどうか判定する（Ｓ２）。
【０１００】
この実施形態では、制御部２は、アクセステーブル２０を参照し、無線ＬＡＮルータ１１０の位置情報と通信半径とから通信範囲Ａを算出する。そして、制御部２は、Ｓ１で計測したスマートフォン１０１の位置と算出した通信範囲Ａとに基づいて、スマートフォン１０１が無線ＬＡＮルータ１１０の通信範囲Ａ内に位置するかどうか判定する。
【０１０１】
なお、この実施形態では制御部２がスマートフォン１０１の位置をＳ１で計測してＳ２の判定を行っているが、これに限るものではない。実施の際、制御部２は、Ｓ１においてスマートフォン１０１の位置を計測せずに、図５に示すアクセステーブル２０に登録されている全てのアクセスポイントをＥＳＳＩＤを用いて無線ＬＡＮ通信部７ＡによりセンシングすることによりＳ２の判定を行ってもよい。
【０１０２】
または、実施の際、制御部２がスマートフォン１０１の位置をＳ１で計測し、Ｓ１で計測したスマートフォン１０１の位置に基づいて、スマートフォン１０１が、図５に示すアクセステーブル２０に登録されているアクセスポイントの通信範囲内に位置するかどうか判定し、スマートフォン１０１が当該通信範囲内に位置していると判定した時、無線ＬＡＮ通信部７Ａを電源オフ状態から電源オン状態へ遷移させ、ＥＳＳＩＤを用いて無線ＬＡＮ通信部７ＡによりセンシングすることによりＳ２の判定を行ってもよい。この構成では、例えばスマートフォン１０１が無線ＬＡＮルータ１１０に近づくまで、無線ＬＡＮ通信部７Ａが電源オフ状態になる。そのため、スマートフォン１０１の消費電力を低減することができる。
【０１０３】
スマートフォン１０１が、アクセステーブル２０に登録されているアクセスポイントの通信範囲内に位置すると判定したとき、制御部２は、スマートフォン１０１自身が通信範囲内に位置することを示す範囲内信号を、該当するアクセスポイントに無線ＬＡＮ通信部７Ａから送信する（Ｓ３）。
【０１０４】
この実施形態では、スマートフォン１０１は無線ＬＡＮルータ１１０の通信範囲Ａ内に位置するため、制御部２は、スマートフォン１０１自身が通信範囲Ａ内に位置することを示す範囲内信号を無線ＬＡＮルータ１１０に無線ＬＡＮ通信部７Ａから送信する。
【０１０５】
次に、スマートフォン１０１が、アクセステーブル２０に登録されているアクセスポイントの通信範囲内に位置しないと判定した後、又は範囲内信号を送信した後、制御部２は、計時部９を参照し、一定時間待機する（Ｓ４）。この後、制御部２は、Ｓ１へ戻って動作を継続する。
【０１０６】
これにより、スマートフォン１０１が無線ＬＡＮルータ１１０の通信範囲Ａ内に位置する限り、制御部２は、範囲内信号を一定時間毎に無線ＬＡＮルータ１１０に無線ＬＡＮ通信部７Ａから送信する。一定時間は、例えば３０秒である。
【０１０７】
一方、無線ＬＡＮルータ１１０の制御部１１２は、通信プログラムＰに従って以下の動作を実行する。
【０１０８】
詳述すると、制御部１１２は、計時部１１９を参照し、所定時間内に、範囲内信号が通信部１１７で受信されるかどうか判定する（Ｓ１０１、Ｓ１０２）。所定時間は、一定時間より長い時間が好ましく、例えば９０秒である。
【０１０９】
所定時間内に、範囲内信号が通信部１１７で受信されたと判定したとき、即ちスマートフォン１０１が通信範囲Ａ内に位置することを通信部１１７により認識したとき、制御部１１２は、動作モードを前述の制限モードから前述の通常モードに切り替える（Ｓ１０３）。既に通常モードに切り替えられている場合、制御部１１２は、通常モードのままＳ１０３の処理を省略する。Ｓ１０３の後、制御部１１２は、Ｓ１０１へ戻り、動作を継続する。
【０１１０】
この通常モードにおいて通信部１１７は、前述したようにＥＳＳＩＤ「ＩＤ＿ＨＯＭＥ」及びＭＡＣアドレス「００００２７ＡＡ７４Ｅ１」に基づいて、スマートフォン１０１の無線ＬＡＮ通信部７Ａと無線通信する。これにより、スマートフォン１０１は、インターネットに接続された無線ＬＡＮルータ１１０を介して相手方通信装置と通信する。
【０１１１】
一方、範囲内信号が通信部１１７で受信されずに所定時間が経過したとき、即ちスマートフォン１０１、１０２の両方が通信範囲Ａ内に位置しないことを通信部１１７により認識したとき、制御部１１２は、動作モードを前述の通常モードから前述の制限モードに切り替える（Ｓ１０４）。既に制限モードに切り替えられている場合、制御部１１２は、制限モードのままＳ１０４の処理を省略する。Ｓ１０４の後、制御部１１２は、Ｓ１０１へ戻り、動作を継続する。
【０１１２】
この実施形態では、スマートフォン１０１、１０２の両方が通信範囲Ａ内に位置することを認識できないとき、スマートフォン１０１、１０２を所持するユーザＵ１、Ｕ２が無線ＬＡＮルータ１１０の近くに存在しないと推定し、制御部１１２は通常モードから省電力モード（制限モード）に切り替える。
【０１１３】
省電力モードにおいて制御部１１２は、表示部１１６を電源オフする。また、省電力モードにおいて制御部１１２は、通信部１１７への供給電力を低減する。具体的には例えば、省電力モードにおいて制御部１１２は、インターネットに接続されているＷＡＮポート１１７Ａとゲーム機１０５に接続されているＬＡＮポート１１７Ｂとを電源オフ状態にする。
【０１１４】
したがって、無線ＬＡＮルータ１１０は、スマートフォン１０１、１０２の位置に応じて自動的な機能の切替を実現できる。これにより、スマートフォン１０１、１０２が無線ＬＡＮルータ１１０の近くに存在しない間、無線ＬＡＮルータ１１０は消費電力を低減できる。また、スマートフォン１０１、１０２が無線ＬＡＮルータ１１０の近くに存在しない間、即ち子供Ｋ１の保護者であるユーザＵ１、Ｕ２が子供Ｋ１の近くに存在しない間、スマートフォン１０１、１０２は、子供Ｋ１がゲーム機１０５で勝手にオンラインゲームを行うことを禁止できる。
【０１１５】
また、無線ＬＡＮルータ１１０を備える通信システム１００及び無線ＬＡＮルータ１１０に実装される通信プログラムＰも、無線ＬＡＮルータ１１０と同様の効果を奏する。
【０１１６】
なお、この実施形態では、スマートフォン１０１が当該範囲内信号を無線ＬＡＮルータ１１０に無線ＬＡＮ通信部７Ａから送信しているが、これに限るものではない。
【０１１７】
例えば、無線ＬＡＮルータ１１０がダイナミックＤＮＳに対応している場合、ユーザＵ１は、無線ＬＡＮルータ１１０の情報として、その他の情報と併せてダイナミックＤＮＳで使用するホスト名（または、ホスト名とパスワード情報）もアクセステーブル２０に登録する。そして、スマートフォン１０１は、３Ｇ通信部７Ｂを介してインターネット上のダイナミックＤＮＳサーバに対してホスト名（または、ホスト名とパスワード情報）を使用して無線ルータ１１０のアドレス情報を問い合わせて入手する。そして、スマートフォン１０１は、そのアドレス情報を使用してスマートフォンの３Ｇ通信部７Ｂからインターネットを経由して、無線ＬＡＮルータ１１０に範囲内信号を送信しても良い。
【０１１８】
この構成では、無線ＬＡＮルータ１１０は、制限モードで動作している間、インターネットに接続されているＷＡＮポート１１７Ａを電源オン状態にし、ＬＡＮポート１１７Ｂを電源オフ状態にする。
【０１１９】
次に、本発明の第１実施形態の変形例について説明する。
【０１２０】
図７は、本発明の第１実施形態の変形例における通信テーブル１３５及び制限テーブル１３６の記述内容を示す図である。無線ＬＡＮルータ１１０は、複数のＥＳＳＩＤを管理する、所謂マルチＳＳＩＤに対応していても良い。そして、子供Ｋ１の保護者であるユーザＵ１のスマートフォン１０１と子供Ｋ１の保護者であるユーザＵ２のスマートフォン１０２とに、異なるＥＳＳＩＤを割り当てても良い。この変形例では、スマートフォン１０１にはＥＳ１が割り当てられており、スマートフォン１０２にはＥＳ２が割り当てられている。
【０１２１】
無線ＬＡＮルータ１１０の記憶部１１３は、通信テーブル１３０の代わりに、通信テーブル１３５及び制限テーブル１３６を記憶する。通信テーブル１３５には、図７に示すように、スマートフォン１０１、１０２に割り当てたＥＳＳＩＤとスマートフォン１０１、１０２の機器情報であるＭＡＣアドレスとが対応付けて記述されている。
【０１２２】
一方、制限テーブル１３６には、図７に示すように、機能を制限する対象の機器が接続される通信ラインと、制限する機能の内容と、機能を制限するスマートフォン１０１、１０２の位置条件と、が対応付けて記述されている。通信ラインはＥＳＳＩＤ又はポート番号で示されている。また位置条件は、スマートフォン１０１、１０２が通信範囲内Ａ内に存在するか否かで示されている。
【０１２３】
そして、無線ＬＡＮルータ１１０の制御部１１２は、スマートフォン１０１、１０２が通信範囲内Ａ内に存在するか否かを範囲内信号より認識し、位置条件に対応する制限テーブル１３６の制限内容に従った制限モードで動作する。
【０１２４】
例えば、スマートフォン１０１、１０２の両方が無線ＬＡＮルータ１１０の近くに存在する間、即ち子供Ｋ１の保護者であるユーザＵ１、Ｕ２が子供Ｋ１の近くに存在する間、制御部１１２は、通常モードで動作する。このため、ユーザＵ１、Ｕ２が子供Ｋ１の近くに存在する間、子供Ｋ１は、ゲーム機１０５で自由にオンラインゲームを行うことができる。
【０１２５】
しかし、スマートフォン１０１だけが無線ＬＡＮルータ１１０の近くに存在する間、即ちユーザＵ１が子供Ｋ１の近くに存在してユーザＵ２が子供Ｋ１の近くに存在しない間、制御部１１２は、ＷＡＮポート１１７Ａ及びＬＡＮポート１１７Ｂを介したインターネット通信においてフィルタリングを行い、子供Ｋ１に対して有害なコンテンツをブロックする。
【０１２６】
このため、ユーザＵ１が子供Ｋ１の近くに存在してユーザＵ２が子供Ｋ１の近くに存在しない間、子供Ｋ１は、ゲーム機１０５で一部制限の下オンラインゲームを行うことができる。
【０１２７】
また、スマートフォン１０２だけが無線ＬＡＮルータ１１０の近くに存在する間、即ちユーザＵ１が子供Ｋ１の近くに存在せずにユーザＵ２が子供Ｋ１の近くに存在する間、制御部１１２は、ゲーム機１０５がインターネットへアクセスすることを拒否する。
【０１２８】
このため、ユーザＵ１が子供Ｋ１の近くに存在せずにユーザＵ２が子供Ｋ１の近くに存在する間、無線ＬＡＮルータ１１０は、子供Ｋ１がゲーム機１０５で勝手にオンラインゲームを行うことを禁止できる。ただし、子供Ｋ１は、ゲーム機１０５で自由にオフオンラインゲームを行うことができる。
【０１２９】
そして、スマートフォン１０１、１０２の両方が無線ＬＡＮルータ１１０の近くに存在しない間、即ちユーザＵ１、Ｕ２の両者が子供Ｋ１の近くに存在しない間、制御部１１２は、ゲーム機１０５に接続されている通信部１１７のＬＡＮポート１１７Ｂと表示部１１６を電源オフ状態にする。
【０１３０】
これにより、無線ＬＡＮルータ１１０は、ユーザＵ１、Ｕ２が子供Ｋ１の近くに存在しない間、子供Ｋ１がゲーム機１０５で勝手にオンラインゲームを行うことを禁止できる。さらに、表示部１１６が電源オフされるため、子供Ｋ１が操作部１１５から勝手に無線ＬＡＮルータ１１０の設定を変えることも禁止できる。ただし、子供Ｋ１は、ゲーム機１０５で自由にオフオンラインゲームを行うことができる。
【０１３１】
なお、制限テーブル１３６において、制限対象として、ＥＳＳＩＤとポート番号が記述されているが、これに限るものではない。実施の際は、ＥＳＳＩＤとポート番号の代わりに、ＭＡＣアドレス等の機器情報が記述されていても良い。
【０１３２】
《第２実施形態》
以下、本発明の第２実施形態である通信システムについて説明する。
【０１３３】
図８は、本発明の第２実施形態である通信システム２００の主要な構成を示すシステム構成図である。図９は、図８に示すスマートフォン２０１の主要な構成を示すブロック図である。この実施形態の通信システム２００が前記通信システム１００と相違する点は、無線ＬＡＮルータ１１０の代わりにスマートフォン２０１を備える点である。その他の通信システム２００の構成については通信システム１００と同じである。
【０１３４】
なお、この実施形態では、スマートフォン１０１、１０２のそれぞれが、本発明の「携帯端末装置」に相当する。そして、スマートフォン２０１が、本発明の「情報処理装置」に相当する。また、スマートフォン２０１の無線ＬＡＮ通信部７Ａ及び３Ｇ通信部７Ｂは、本発明の「無線通信部」に相当する。
【０１３５】
詳述すると、図８に示すように、子供Ｋ１がスマートフォン２０１を所持している。ユーザＵ１、Ｕ２は、子供Ｋ１の保護者である。ユーザＵ１はスマートフォン１０１を所持し、ユーザＵ２はスマートフォン１０２を所持している。
【０１３６】
そして、図９に示すように、スマートフォン２０１がスマートフォン１０１と相違する点は、通信プログラムＰを実装する点である。その他のスマートフォン２０１の構成についてはスマートフォン１０１と同じである。この通信プログラムＰも、第１実施形態と同様に、３Ｇ通信部７Ｂを介してインターネットから定期的にアップデートされる。
【０１３７】
また、スマートフォン１０１、１０２も、スマートフォン２０１のＥＳＳＩＤ「ＩＤ＿ＳＭＰ」に基づいて、通信範囲Ｂ内においてスマートフォン２０１と無線ＬＡＮ通信部７Ａにより無線通信することができる。通信範囲Ｂは例えば１２ｍである。この通信範囲Ｂは、本発明の「予め設定された範囲」に相当する。
【０１３８】
なお、この実施形態では、無線通信が無線ＬＡＮ通信部７Ａにより行われているが、これに限るものではない。実施の際は、スマートフォン１０１、１０２、２０１の全てにブルートゥース（登録商標）通信部を設け、無線通信がブルートゥース通信部により行われてもよい。
【０１３９】
以上より、スマートフォン２０１の制御部２は、無線ＬＡＮ通信部７Ａ及び３Ｇ通信部７Ｂによる通信機能、ＲＡＭ４による一時記憶機能、計時部９による計時機能、及び表示操作部６による画像表示機能を含む複数の機能を持ち、各機能を実行する。
【０１４０】
そして、制御部２は、複数の機能の内の特定の機能を制限する制限モードと、特定の機能の制限を解除する通常モードとを有し、いずれかのモードで動作する。この実施形態において特定の機能は、通信機能である。また、特定の機能の制限とは、３Ｇ通信部７Ｂによる無線通信における通信内容の制限である。
【０１４１】
次に、スマートフォン１０１、２０１の動作について以下説明する。ここで、スマートフォン１０２の動作は、スマートフォン１０１の動作と同じであるため、重複部分については説明を省略する。
【０１４２】
図１０は、図８に示すスマートフォン１０１、２０１の両制御部１１２が行う動作を示すフローチャートである。
【０１４３】
まず、スマートフォン１０１の制御部２は、図５に示すアクセステーブル２０に登録されているＥＳＳＩＤ「ＩＤ＿ＳＭＰ」を用いて無線ＬＡＮ通信部７Ａによりセンシングする（Ｓ２１）。
【０１４４】
次に、スマートフォン１０１の制御部２は、Ｓ２１のセンシング結果に基づいて、スマートフォン１０１がスマートフォン２０１の通信範囲Ｂ内に位置するかどうか判定する（Ｓ２２）。
【０１４５】
スマートフォン１０１がスマートフォン２０１の通信範囲Ｂ内に位置すると判定したとき、スマートフォン１０１の制御部２は、スマートフォン１０１自身が通信範囲Ｂ内に位置することを示す範囲内信号をスマートフォン２０１に無線ＬＡＮ通信部７Ａから送信する（Ｓ２３）。
【０１４６】
一方、スマートフォン１０２はスマートフォン２０１の通信範囲Ｂ内に位置しないと判定したとき、スマートフォン１０１の制御部２は、スマートフォン１０１自身が通信範囲Ｂ内に位置しないことを示す範囲外信号をスマートフォン２０１に３Ｇ通信部７Ｂからインターネットを経由して送信する（Ｓ２４）。
【０１４７】
そして、スマートフォン１０１の制御部２は、範囲内信号または範囲外信号を送信した後、計時部９を参照し、一定時間待機する（Ｓ２５）。この後、スマートフォン１０１の制御部２は、Ｓ２１へ戻って動作を継続する。これにより、スマートフォン１０１の制御部２は、範囲内信号または範囲外信号を一定時間毎にスマートフォン２０１に無線ＬＡＮ通信部７Ａ又は３Ｇ通信部７Ｂから送信する。一定時間は、例えば３０秒である。
【０１４８】
一方、スマートフォン２０１の制御部２は、通信プログラムＰに従って以下の動作を実行する。
【０１４９】
詳述すると、スマートフォン２０１の制御部２は、計時部９を参照し、所定時間内に、範囲内信号または範囲外信号が無線ＬＡＮ通信部７Ａ又は３Ｇ通信部７Ｂで受信されるかどうか判定する（Ｓ２０１、Ｓ２０２、Ｓ２０３）。所定時間は、一定時間より長い時間が好ましく、例えば９０秒である。
【０１５０】
所定時間内に、範囲内信号が無線ＬＡＮ通信部７Ａで受信されたと判定したとき、即ちスマートフォン１０１が通信範囲Ｂ内に位置することを無線ＬＡＮ通信部７Ａにより認識したとき、スマートフォン２０１の制御部２は、動作モードを前述の制限モードから前述の通常モードに切り替える（Ｓ２０４）。既に通常モードに切り替えられている場合、スマートフォン２０１の制御部２は、通常モードのままＳ２０４の処理を省略する。Ｓ２０４の後、スマートフォン２０１の制御部２は、Ｓ２０１へ戻り、動作を継続する。
【０１５１】
一方、所定時間内に範囲外信号が３Ｇ通信部７Ｂで受信されたと判定したとき、又は範囲内信号もしくは範囲外信号が無線ＬＡＮ通信部７Ａ又は３Ｇ通信部７Ｂで受信されずに所定時間が経過したとき、スマートフォン２０１の制御部２は、スマートフォン１０１、１０２が通信範囲Ｂ内に位置しないことを無線ＬＡＮ通信部７Ａ又は３Ｇ通信部７Ｂにより認識する。そして、スマートフォン２０１の制御部２は、動作モードを前述の通常モードから前述の制限モードに切り替える（Ｓ２０５）。既に制限モードに切り替えられている場合、スマートフォン２０１の制御部２は、制限モードのままＳ２０５の処理を省略する。Ｓ２０５の後、スマートフォン２０１の制御部２は、Ｓ２０１へ戻り、動作を継続する。
【０１５２】
なお、この実施形態では、スマートフォン１０１（または１０２）は、範囲内信号または範囲外信号を一定時間毎にスマートフォン２０１に無線ＬＡＮ通信部７Ａ又は３Ｇ通信部７Ｂから送信するが、これに限るものではない。例えば、スマートフォン１０１（または１０２）は、通信範囲Ｂ内に位置すると判定した時、範囲内信号をスマートフォン２０１に送信し、スマートフォン２０１からの応答により範囲内信号をスマートフォン２０１が正常に受信したことを認識した時、範囲内信号の送信を停止し、通信範囲Ｂ内に位置しないと判定した時、範囲外信号をスマートフォン２０１に送信し、スマートフォン２０１からの応答により範囲外信号をスマートフォン２０１が正常に受信したことを認識した時、範囲外信号の送信を停止する構成としても良い。
【０１５３】
この構成では、スマートフォン１０１（または１０２）から範囲内信号を受信した時、スマートフォン２０１は、次に範囲外信号を受信するまでの間、通常モードで動作する。一方、スマートフォン１０１（または１０２）から範囲外信号を受信した時、スマートフォン２０１は、次に範囲内信号を受信するまでの間、制限モードで動作する。
【０１５４】
この構成により、スマートフォン１０１（または１０２）は、一定時間毎に範囲内信号または範囲外信号を送信する必要がなくなり、消費電力を低減できる。同様に、スマートフォン２０１は、一定時間毎に範囲内信号または範囲外信号を受信する必要がなくなり、消費電力を低減できる。
【０１５５】
この実施形態では、スマートフォン１０１、１０２の両方が通信範囲Ｂ内に位置することを認識できないとき、スマートフォン１０１、１０２を所持するユーザＵ１、Ｕ２がスマートフォン２０１の近くに存在しないと推定し、スマートフォン２０１の制御部２は通常モードから視聴制限モードに切り替える。
【０１５６】
視聴制限モードにおいてスマートフォン２０１の制御部２は、無線ＬＡＮ通信部７Ａ又は３Ｇ通信部７Ｂによる無線通信においてフィルタリングを行い、子供Ｋ１に対して有害なコンテンツをブロックする。
【０１５７】
したがって、スマートフォン２０１は、スマートフォン１０１、１０２の位置に応じて自動的な機能の切替を実現できる。これにより、スマートフォン１０１、１０２がスマートフォン２０１の近くに存在しない間、即ち子供Ｋ１の保護者であるユーザＵ１、Ｕ２が子供Ｋ１の近くに存在しない間、スマートフォン２０１は、子供Ｋ１がスマートフォン２０１で有害なコンテンツに勝手にアクセスすることを禁止できる。
【０１５８】
また、スマートフォン２０１を備える通信システム２００及びスマートフォン２０１に実装される通信プログラムＰも、スマートフォン２０１と同様の効果を奏する。
【０１５９】
なお、この実施形態では、ユーザＵ１、Ｕ２のいずれかが子供Ｋ１の近くに存在していれば、スマートフォン２０１の制御部２が通常モードに切り替えるが、これに限るものではない。実施の際は、ユーザＵ１、Ｕ２の両方が子供Ｋ１の近くに存在する場合に限り、スマートフォン２０１の制御部２が、通常モードに切り替えてもよい。
【０１６０】
この場合、スマートフォン２０１の制御部２は、範囲外信号の受信回数と範囲内信号の受信回数とをカウントし、互いにＭＡＣアドレスの異なるスマートフォン１０１、１０２から２つの範囲内信号を受信した場合に限り、通常モードに切り替える。
【０１６１】
例えば、スマートフォン２０１は、スマートフォン１０１からの範囲内信号を受信した場合にスマートフォン１０１用のカウンタをセットし、範囲外信号を受信した場合にリセットする。また、スマートフォン１０２からの範囲内信号を受信した場合にスマートフォン１０２用のカウンタをセットし、範囲外信号を受信した場合にリセットする。そして、スマートフォン２０１は、それぞれのカウント値を確認し、カウント値がセットされている場合は該当するスマートフォンが範囲内に存在すると判断する。
【０１６２】
《その他の実施形態》
前記各実施形態において、スマートフォン１０１の制御部２は、計時部９によって計時されている時刻が予め設定された時間帯に含まれるとき、無線ＬＡＮ通信部７Ａによる範囲内信号または範囲外信号の送信を禁止してもよい。
【０１６３】
この構成では、スマートフォン１０１を所持するユーザＵ１が、範囲内信号または範囲外信号を送信する必要性の低い時間帯（例えば深夜の時間帯）を予め設定する。これにより、予め設定された時間帯における範囲内信号または範囲外信号の送信が禁止される。したがって、この構成によれば、予め設定された時間帯におけるスマートフォン１０１の消費電力を低減できる。
【０１６４】
また、範囲内信号または範囲外信号の送信を禁止することにより、予め設定された時間帯において、情報処理装置の動作モードを省電力モード等の制限モードにする事ができる。
【０１６５】
また、前記各実施形態において、スマートフォン１０１の表示操作部６は、無線ＬＡＮ通信部７Ａによる範囲内信号または範囲外信号の送信を許可するか禁止するかの選択を受け付けてもよい。
【０１６６】
この構成では、スマートフォン１０１を所持するユーザＵ１が、範囲内信号または範囲外信号の送信を許可するか禁止するかを表示操作部６で選択できる。したがって、この構成によれば、ユーザＵ１の使い勝手に応じて、スマートフォン１０１の動作モードを省電力モード等の制限モードとする事により、例えば、消費電力を低減できる。
【０１６７】
また、図１１に示すように、前記第１実施形態と前記第２実施形態とを組み合わせた通信システム３００で実施してもよい。
【０１６８】
具体的には、子供Ｋ１が所持するスマートフォン２０１の３Ｇ通信部７Ｂを無効化して無線ＬＡＮ通信部７Ａのみ使用可能にし、スマートフォン２０１の制御部２が、インターネットに接続されている無線ＬＡＮルータ１１０の通信部１１７とスマートフォン２０１の無線ＬＡＮ通信部７Ａとの無線通信においてフィルタリングを行ってもよい。
【０１６９】
又は、子供Ｋ１が所持するスマートフォン２０１の３Ｇ通信部７Ｂを無効化して無線ＬＡＮ通信部７Ａのみ使用可能にし、無線ＬＡＮルータ１１０の通信部１１７とスマートフォン２０１の無線ＬＡＮ通信部７Ａとが無線通信している時に、無線ＬＡＮルータ１１０の制御部１１２が、インターネットと無線ＬＡＮルータ１１０の通信部１１７との通信においてフィルタリングを行ってもよい。
【０１７０】
これらの構成でも、子供Ｋ１に対して有害なコンテンツがブロックされる。これにより、スマートフォン１０１、１０２がスマートフォン２０１の近くに存在しない間、即ち子供Ｋ１の保護者であるユーザＵ１、Ｕ２が子供Ｋ１の近くに存在しない間、スマートフォン２０１又は無線ＬＡＮルータ１１０は、子供Ｋ１がスマートフォン２０１で有害なコンテンツに勝手にアクセスすることを禁止できる。
【０１７１】
最後に、前記各実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【０１７２】
２…制御部
３…記憶部
４…ＲＡＭ
６…表示操作部
７…クレーム
７Ａ…無線ＬＡＮ通信部
７Ｂ…３Ｇ通信部
８…測位部
９…計時部
１０…バッテリ
２０…アクセステーブル
９８…基地局
９９…ＧＰＳ衛星
１００…通信システム
１０１、１０２…スマートフォン
１０５…ゲーム機
１１０…無線ＬＡＮルータ
１１２…制御部
１１３…記憶部
１１４…ＲＡＭ
１１５…操作部
１１６…表示部
１１７…通信部
１１７Ａ…ＷＡＮポート
１１７Ｂ…ＬＡＮポート 
１１９…計時部
１２０…電源部
１３０…通信テーブル
１３５…通信テーブル
１３６…制限テーブル
１４０…建物
２００…通信システム
２０１…スマートフォン
３００…通信システム
Ｐ…通信プログラム
Ｕ１、Ｕ２…ユーザ
Ｋ１…子供
【図２】
2014060627.tif 000003
【図３】
2014060627.tif 000004
【図４】
2014060627.tif 000005
【図５】
2014060627.tif 000006
【図６】
2014060627.tif 000007
【図７】
2014060627.tif 000008
【図８】
2014060627.tif 000009
【図９】
2014060627.tif 000010
【図１０】
2014060627.tif 000011
【図１】
2014060627.tif 000012
【図１１】
2014060627.tif 000013